(57)【要約】【課題】スピニングリールの発音機構において、スプールを軽量化する。【解決手段】発音機構７０は、糸巻胴部７ａの後端部に装着された合成樹脂製の取付台１６と、糸巻胴部７ａの後端部にスプール軸１５に回転不能に固定された円板部材１７と、取付台１６に円板部材１７と相対回転可能に装着された爪部材１８と、取付台１６に装着され爪部材１８を円板部材１７側に付勢するばね部材１９とを有している。ここでは、スプール４とスプール軸１５との相対回転によって、爪部材１８が円板部材１７に当接して発音するようになっている。取付台１６は、合成樹脂製部材であって、糸巻胴部７ａの後端部にねじ部材２０ａ、２０ｂによってねじ止め固定されている。【選択図】　　　図４
2004081097.tif 000002
【特許請求の範囲】
【請求項１】
鍛造により形成された金属製のスプールとスプール軸との相対回転により発音するスピニングリールの発音機構であって、
前記スプールの後端部に装着された合成樹脂製の取付台と、
前記取付台に装着された第１発音部と、
前記スプール軸に装着され、前記第１発音部との相対回転により発音する第２発音部と、
を備えたスピニングリールの発音機構。
【請求項２】
前記取付台は前記スプールの後端部にねじ止め固定される、請求項１に記載のスピニングリールの発音機構。
【請求項３】
前記取付台は前記スプールの内周に沿って形成された円弧状部材である、請求項１又は２に記載のスピニングリールの発音機構。
【請求項４】
前記第１発音部は前記第２発音部方向に付勢されて設けられた爪部材であり、前記第２発音部は、前記第１発音部と対向する面に配置され、周方向に間隔を隔てて形成された複数の凹凸部を有し、前記爪部材の先端が前記凹凸部に当接を繰り返して発音する円板部材である、請求項１から３のいずれかに記載のスピニングリールの発音機構。
【請求項５】
前記爪部材は前記取付台に設けられたばね部材により付勢されている、請求項４に記載のスピニングリールの発音機構。
【発明の詳細な説明】
【０００１】
【発明の属する技術分野】
本発明は、スピニングリールの発音機構、特に、スプールとスプール軸との相対回転により発音する発音機構に関する。
【０００２】
【従来の技術】
一般に、スピニングリールは、ハンドルを回転自在に支持するリール本体と、ロータと、スプール軸に回転可能に装着されたスプールとを備えている。スピニングリールのスプールは、リール本体に対して前後移動自在であり、外周に釣り糸が巻き付けられる糸巻胴部と、糸巻胴部の後端部に設けられた大径筒状のスカート部とを備えている。糸巻胴部及びスカート部は、金属製であり、たとえば鍛造により一体成形されている。また、フロントドラグ型のスピニングリールでは、糸巻胴部の内部には、複数のドラグ板からなるドラグ機構や、ドラグ機構作動時に発音する発音機構等を有している。
【０００３】
このような発音機構は、たとえば糸巻胴部の後端部に装着された爪部材と、スプール軸に回転不能に固定され周方向に間隔を隔てて複数の凹凸部が形成された円板部材とを有し、糸巻胴部とスプール軸との相対回転によって、爪部材の先端が凹凸部に当接を繰り返して発音するようになっている。このような爪部材は、糸巻胴部の後端に圧入されたピン部材に、たとえばプッシュナット等を装着することによって固定されている。
【０００４】
【発明が解決しようとする課題】
前記従来のスピニングリールの発音機構は、特に鍛造により形成された糸巻胴部では、爪部材装着用のピン部材を圧入するために、糸巻胴部の内部に厚肉部を設ける必要がある。このように、糸巻胴部に厚肉部を設けると、糸巻胴部の質量が増加し、スプールの軽量化を損なうおそれが生じる。
【０００５】
本発明の課題は、スピニングリールの発音機構において、スプールを軽量化することにある。
【０００６】
【課題を解決するための手段】
発明１に係るスピニングリールの発音機構は、鍛造により形成された金属製のスプールとスプール軸との相対回転により発音するスピニングリールの発音機構であって、スプールの後端部に装着された合成樹脂製の取付台と、取付台に装着された第１発音部と、スプール軸に装着され第１発音部との相対回転により発音する第２発音部とを備えている。
【０００７】
このスピニングリールの発音機構では、鍛造により形成された金属製のスプールに合成樹脂製の取付台が装着されている。ここでは、合成樹脂製の取付台が装着されているので、従来のようにピン部材を圧入するための厚肉部をスプールに設ける必要がなくなり、スプールを軽量化できる。
発明２に係る発音機構は、発明１の発音機構において、取付台はスプールの後端部にねじ止め固定される。この場合、取付台をスプールに取り付けるためにピン部材をスプールに設けなくてもよいので、さらにスプールを軽量化できる。
【０００８】
発明３に係る発音機構は、発明１又は２の発音機構において取付台はスプールの内周に沿って形成された円弧状部材である。この場合、取付台をスプールにコンパクトに配置できる。
発明４に係る発音機構は、発明１から３の発音機構において、第１発音部は第２発音部方向に付勢されて設けられた爪部材であり、第２発音部は第１発音部と対向する面に配置され周方向に間隔を隔てて形成された複数の凹凸部を有し爪部材の先端が凹凸部に当接を繰り返して発音する円板部材である。この場合、容易な構造で確実に発音させることができる。
【０００９】
発明５に係る発音機構は、発明４の発音機構において、爪部材は取付台に設けられたばね部材により付勢されている。この場合、安価な構成で、爪部材を凹凸部に繰り返し当接させることができる。
【００１０】
【発明の実施の形態】
本発明の一実施形態を採用したスピニングリールは、図１に示すように、フロントドラグ型のリールであって、ハンドル１を回転自在に支持するリール本体２と、ロータ３と、スプール４とを備えている。ロータ３はリール本体２の前部に回転自在に支持されている。スプール４は、釣り糸を外周面に巻き取るものであり、ロータ３の前部に前後移動自在に配置されている。
【００１１】
リール本体２は、リールボディ２ａと、リールボディ２ａから斜め上前方に延びる竿取付脚２ｂとを有している。リールボディ２ａは、図２に示すように、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１２】
ロータ駆動機構５は、ハンドル１が固定されたハンドル軸１０とともに回転するマスターギア１１と、このマスターギア１１に噛み合うピニオンギア１２とを有している。ピニオンギア１２は筒状に形成されており、その前部は、ロータ３の中心部を貫通し、ナットによりロータ３と固定されている。ピニオンギア１２は、その軸方向の中間部と後端部とが、それぞれ軸受を介してリール本体２に回転自在に支持されている。
【００１３】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は図示しない減速ギアを介してピニオンギア１２からの回転が伝達されるようになっている。
【００１４】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり、一体成形されている。
第１ロータアーム３１は、円筒部３０から外方に凸に湾曲して前方に延びており、円筒部３０との接続部分は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００１５】
第２ロータアーム３２は、円筒部３０から外方に凸に湾曲して前方に延びている。第２ロータアーム３２は、先端部から円筒部３０との接続部分に向けて２股に分岐しており、円筒部３０と周方向に間隔を隔てた２箇所で接続されている。第２ロータアーム３２の先端外周側には、第２ベール支持部材４２が揺動自在に装着されている。
【００１６】
ラインローラ４１と第２ベール支持部材４２との間には線材を略Ｕ状に湾曲させた形状のベール４３が固定されている。これらの第１ベール支持部材４０及び第２ベール支持部材４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００１７】
スプール４は、ロータ３の第１ロータアーム３１と第２ロータアーム３２との間に配置されており、スプール軸１５の先端にドラグ機構６０を介して装着されている。スプール４は、図３に拡大して示すように、スプール本体７と、スプール本体７の前端部に取り付けられた大径の前フランジ部８と、前フランジ部８をスプール本体７に固定するための前フランジ部固定部材９とを有している。スプール本体７は、鍛造により形成された金属製部材であり、外周に釣り糸が巻かれる筒状の糸巻胴部７ａと、糸巻胴部７ａの後端部に一体成形された大径筒状のスカート部７ｂとを有している。また、糸巻胴部７ａの後端部には、図３及び図４に示すように、釣り糸の先端部分を係止するための釣り糸係止部５０がねじ部材２０ｄにより固定されている。さらに、糸巻胴部７ａの後端部には、スプール４とスプール軸１５との相対回転によって発音する発音機構７０が取り付けられている。
【００１８】
発音機構７０は、図３及び図４に拡大して示すように、糸巻胴部７ａの後端部に装着された合成樹脂製の取付台１６と、糸巻胴部７ａの後端部にスプール軸１５に回転不能に固定された円板部材１７（第２発音部の一例）と、取付台１６に円板部材１７と相対回転可能に装着された爪部材１８（第１発音部の一例）と、取付台１６に装着され爪部材１８を円板部材１７側に付勢するばね部材１９とを有している。ここでは、スプール４とスプール軸１５との相対回転によって、爪部材１８が円板部材１７に当接して発音するようになっている。
【００１９】
取付台１６は、図３から図６に示すように、合成樹脂製部材であって、糸巻胴部７ａの後端部の内周に沿って形成された円弧状部材である。取付台１６の両端部は、図４及び図６に示すように、糸巻胴部７ａの後端部にねじ部材２０ａ、２０ｂによってねじ止め固定されている。取付台１６の中央部には、図３から図５に示すように、爪部材１８装着用のボス部１６ａが立設されている。爪部材１８はボス部１６ａにプッシュナット２０ｃによって固定されている。
【００２０】
円板部材１７は、図３から図６に示すように、糸巻胴部７ａの後端部にワッシャ１５ａを介して接触するようにスプール軸１５に回転不能に固定されている。円板部材１７は、糸巻胴部７ａが後方へ移動するのを規制するスプール受けとして機能している。また、円板部材１７は、爪部材１８と対向する面に配置され、周方向に間隔を隔てて形成された複数の凹凸部１７ａを有している。ここでは、スプール４とスプール軸１５との相対回転によって爪部材１８の先端が凹凸部１７ａに当接を繰り返して発音するようになっている。
【００２１】
爪部材１８は、図３及び図４に示すように、円板部材１７方向に進退自在に設けられ、かつ進出方向に付勢され凹凸部１７ａに当接して発音する部材である。ここでは、ドラグ機構６０を作動し内筒部材７ｄを回転させると、内筒部材７ｄに装着された爪部材１８が回転し、円板部材１７の凹凸部１７ａに当接して発音するようになっている。爪部材１８は、略鉤状形状の金属製部材であり、円板部材１７の凹凸部１７ａに当接する爪部１８ａと、取付台１６のボス部１６ａに装着される装着部１８ｂと、装着部１８ｂを挟んで爪部１８ａと逆側に設けらればね部材１９が係止される係止部１８ｃ（図４参照）とを有している。爪部材１８は、プッシュナット２０ｃにより取付台１６のボス部１６ａに固定されている。
【００２２】
ばね部材１９は、図４に示すように、一端がねじ部材２０ａによって取付台１６に固定され、他端が爪部材１８の係止部１８ｃに係止されている。ここでは、爪部材１８はばね部材１９によって円板部材１７の回転方向と逆方向に付勢されており、スプール４とスプール軸１５との相対回転によって爪部材１８は円板部材１７に当接を繰り返して発音するようになっている。
【００２３】
次に、リールの操作及び動作について詳細に説明する。
キャスティング時には、ロータ３を逆転禁止状態にして、手でベールアーム４４を持ってベールアーム４４を糸開放姿勢に反転させる。ベールアーム４４が糸開放姿勢に倒れた状態では、スプール４からの釣り糸を容易に繰り出すことが可能である。
【００２４】
キャスティング後に、ベールアーム４４を糸開放姿勢に維持したままの状態で、ハンドル１を糸巻き取り方向に回転させると、ロータ駆動機構５によりロータ３が糸巻き取り方向に回転する。ロータ３が糸巻き取り方向に回転すると、ベールアーム４４が糸巻き取り姿勢に復帰する。このとき、魚等が強い力で釣り糸を引っ張ると、ドラグ機構６０が作動してスプール４がスプール軸１５に対して相対回転する。このようにスプール４がスプール軸１５に対して相対回転すると、爪部材１８が円板部材１７に当接を繰り返すことによって発音する。
【００２５】
このような発音機構７０では、鍛造により形成された金属製の糸巻胴部７ａに合成樹脂製の取付台１６が装着されている。ここでは、糸巻胴部７ａに合成樹脂製の取付台１６が装着されているので、従来のようにピン部材を圧入するための厚肉部を糸巻胴部７ａに設ける必要がなくなる。したがって、スプール４を軽量化することができる。
【００２６】
〔他の実施形態〕
（ａ）　前記実施形態では、糸巻胴部７ａ及びスカート部７ｂを一体成形していたが、糸巻胴部７ａを鍛造により形成すれば、糸巻胴部７ａ及びスカート部７ｂを別体で形成してもよい。
（ｂ）　前記実施形態では、釣り糸係止部５０は、ねじ部材２０ｄにより固定されていたが、たとえばプッシュナット等により固定してもよい。
【００２７】
（ｃ）　前記実施形態では、爪部材１８は、略鉤状形状の金属製部材であったが、これに限定されるものではなく、たとえば弾性力を有する舌状の合成樹脂製部材であってもよい。
【００２８】
【発明の効果】
本発明によれば、鍛造により形成された金属製のスプールに合成樹脂製の取付台が装着されているので、スプールを軽量化できる。
【図面の簡単な説明】
【図１】本発明の一実施形態によるスピニングリールの左側面図。
【図２】前記スピニングリールの側面断面図。
【図３】前記スピニングリールのスプールの拡大断面図。
【図４】前記スプールの発音機構周辺の拡大断面図。
【図５】前記発音機構のプッシュナット周辺の拡大断面図。
【図６】前記発音機構のねじ部材周辺の拡大断面図。
【符号の説明】
４　スプール
７ａ　糸巻胴部
７ｂ　スカート部
１５　スプール軸
１６　取付台
１７　円板部材
１７ａ　凹凸部
１８　爪部材
１９　ばね部材
７０　発音機構
【図１】
2004081097.tif 000003
【図２】
2004081097.tif 000004
【図３】
2004081097.tif 000005
【図４】
2004081097.tif 000006
【図５】
2004081097.tif 000007
【図６】
2004081097.tif 000008